(57)【要約】【課題】扱室上部カバーがグレンタンク側支点で開くため、脱穀装置とグレンタンクの間の上部スペースを有効に活用できないという課題がある。【解決手段】走行装置２を備えた機体フレーム１の上側の左右一側に脱穀装置３を設け、左右他側にはグレンタンク５を設け、前記脱穀装置３の上部に、内面が扱室１２の内壁の一部を形成する扱室上部カバー１５を設け、該扱室上部カバー１５は、前記グレンタンク５が存在する側とは反対側に配置された取付軸１６を支点として上方回動する構成とし、前記扱室上部カバー１５と前記グレンタンク５との間に形成された空間１８の上部に、エンジン１１へ供給される空気を濾過するエアクリーナ１７を配置したコンバイン。【選択図】図２
2014187983.tif 000002
【特許請求の範囲】
【請求項１】
走行装置（２）を備えた機体フレーム（１）の上側の左右一側に脱穀装置（３）を設け、左右他側にはグレンタンク（５）を設け、前記脱穀装置（３）の上部に、内面が扱室（１２）の内壁の一部を形成する扱室上部カバー（１５）を設け、該扱室上部カバー（１５）は、前記グレンタンク（５）が存在する側とは反対側に配置された取付軸（１６）を支点として上方回動する構成とし、前記扱室上部カバー（１５）と前記グレンタンク（５）との間に形成された空間（１８）の上部に、エンジン（１１）へ供給される空気を濾過するエアクリーナ（１７）を配置したコンバイン。
【請求項２】
請求項１記載のコンバインにおいて、前記扱室上部カバー（１５）の前面部（２１）と後面部（２２）の夫々に上方回動操作用の把持部（２３）を設けたコンバイン。
【請求項３】
請求項１または請求項２記載のコンバインにおいて、扱室上部カバー（１５）を前記扱室（１２）内の扱胴（１９）の上側を覆う状態で脱穀装置（３）の枠体（３３）に固定するロック機構（Ｒ）を設け、前記扱室上部カバー（１５）は、前記枠体（３３）の上面に受網（３０）を固定するボルト（３２）が入り込む収容部（２６）を有する構成としたコンバイン。
【請求項４】
請求項３記載のコンバインにおいて、前記収容部（２６）は、前記扱室上部カバー（１５）の左右の側縁部を補強する補強部材（２７）に形成されたコンバイン。
【請求項５】
請求項１または請求項２または請求項３または請求項４記載のコンバインにおいて、前記扱室上部カバー（１５）の後部に設けられ、前記扱室（１２）内の被処理物を案内する排塵ガイド（４７）の取付部（４８）の近傍に、後部補強部材（５５）を設けたコンバイン。
【発明の詳細な説明】
【技術分野】
【０００１】
本発明は、コンバインに係るものである。
【背景技術】
【０００２】
従来、機体フレームの上方の左側に脱穀装置を、右側にグレンタンクをそれぞれ設け、グレンタンクの前側にエンジンを設け、扱室上部を開放する扱室上部カバーを設けた構成は、公知である（特許文献１）。
【先行技術文献】
【特許文献】
【０００３】
【特許文献１】特開平３−２９７３１８号公報
【発明の概要】
【発明が解決しようとする課題】
【０００４】
前記公知例は、扱室上部カバーがグレンタンク側支点で開くため、脱穀装置とグレンタンクの間の上部スペースを有効に活用できないという課題がある。
本願は、エアクリーナーの設置位置を工夫し、エアクリーナーの大型化およびメンテナンスの容易化を図ったものである。
【課題を解決するための手段】
【０００５】
請求項１記載の発明は、走行装置２を備えた機体フレーム１の上側の左右一側に脱穀装置３を設け、左右他側にはグレンタンク５を設け、前記脱穀装置３の上部に、内面が扱室１２の内壁の一部を形成する扱室上部カバー１５を設け、該扱室上部カバー１５は、前記グレンタンク５が存在する側とは反対側に配置された取付軸１６を支点として上方回動する構成とし、前記扱室上部カバー１５と前記グレンタンク５との間に形成された空間１８の上部に、エンジン１１へ供給される空気を濾過するエアクリーナ１７を配置したコンバインとしたものであり、扱室上部カバー１５とグレンタンク５との間との間に形成された空間１８の上部に配置されているエアクリーナー１７から吸気された空気がエンジン１１に供給され、また、扱室上部カバー１５は取付軸１６を支点として上方回動して扱室１２の扱胴１９の上面側を開放してメンテナンス作業を行う。
請求項２記載の発明は、前記扱室上部カバー１５の前面部２１と後面部２２の夫々に上方回動操作用の把持部２３を設けたコンバインとしたものであり、扱室上部カバー１５の前面部２１と後面部２２の把持部２３により、扱室上部カバー１５を上方回動オープンさせる。
請求項３記載の発明は、扱室上部カバー１５を前記扱室１２内の扱胴１９の上側を覆う状態で脱穀装置３の枠体３３に固定するロック機構Ｒを設け、前記扱室上部カバー１５は、前記枠体３３の上面に受網３０を固定するボルト３２が入り込む収容部２６を有する構成としたコンバインとしたものであり、オープンさせた扱室上部カバー１５を元に戻すと、扱室上部カバー１５の収容部２６が枠体３３の上面のボルト３２が入り込んで閉塞状態となり、この状態でロック機構Ｒにより固定する。
請求項４記載の発明は、前記収容部２６は、前記扱室上部カバー１５の左右の側縁部を補強する補強部材２７に形成されたコンバインとしたものであり、扱室上部カバー１５には左右分割構造の補強部材２７を取付ける。
請求項５記載の発明は、前記扱室上部カバー１５の後部に設けられ、前記扱室１２内の被処理物を案内する排塵ガイド４７の取付部４８の近傍に、後部補強部材５５を設けたコンバインとしたものであり、排塵ガイド４７により扱室１２内の被処理物の移動に抵抗を与え、脱穀処理を行う。
【発明の効果】
【０００６】
請求項１記載の発明では、扱室上部カバー１５の回動支点をグレンタンク５が存在する側とは反対側に設けているので、扱室上部カバー１５の開閉の妨げになることなく、扱室上部カバー１５とグレンタンク５の間に大型のエアクリーナ１７を設置することができ、エンジンの吸気効率を高めてエンジン出力を維持し、コンバインの作業能率を高めることができる。
請求項２記載の発明では、上記請求項記載の発明の効果に加え、扱室上部カバー１５の前面部２１と後面部２２の夫々に設けた把持部２３により扱室上部カバー１５を上方回動させてオープンできるので、脱穀装置３の前後両側から扱室上部カバー１５のオープン操作することができ、メンテナンスを容易に行える。
請求項３記載の発明では、上記請求項記載の発明の効果に加え、扱室上部カバー１５の収容部２６が受網３０の固定用のボルト３２と干渉せずに扱室１２の上部を閉塞でき、扱室上部カバー１５に屈曲形成された収容部２６によって扱室上部カバー１５の剛性を向上させ、扱室１２内部からの脱穀処理物の噴き出しを防止することができる。
請求項４記載の発明では、上記請求項記載の発明の効果に加え、収容部２６を補強部材２７により簡素に構成でき、扱室上部カバー１５の組立製造を容易に行える。
請求項５記載の発明では、上記請求項記載の発明の効果に加え、扱室上部カバー１５の剛性を向上させることができ、扱室１２内部からの脱穀処理物の噴き出しを防止することができる。
【図面の簡単な説明】
【０００７】
【図１】コンバインの側面図。
【図２】同一部正面図。
【図３】同一部側面図。
【図４】扱室の断面図およびロック装置の斜視図。
【図５】同拡大図。
【図６】上部カバーの平面図。
【図７】コンバインの背面図。
【図８】扱室上部カバーの他の実施例の背面図。
【図９】扱室上部カバーの他の実施例の背面図。
【図１０】グレンタンクの側部カバーの正面図。
【図１１】機体フレームおよびバランスウエイトの平面図および側面図。
【図１２】補助ステップの背面図。
【図１３】同側面図。
【図１４】補助ステップの他の実施例の側面図。
【図１５】同側面図。
【図１６】補助ステップの他の実施例の背面図および側面図。
【図１７】補助ステップの他の実施例の側面図。
【図１８】同側面図。
【図１９】補助ステップの他の実施例の背面図。
【図２０】同側面図。
【発明を実施するための形態】
【０００８】
本発明の一実施例を図により説明すると、１は作業機の機体フレームであり、本願はコンバインの実施例である。
機体フレーム１の下方には走行装置２を設け、機体フレーム１の上側の左側には脱穀装置３を設ける。脱穀装置３の前方には刈取装置４を設け、脱穀装置３の右側部にはグレンタンク５を設ける。６は操縦部である。
前記操縦部６は、運転座席１０をエンジン１１の上方に設け、図示は省略するが、運転座席１０の前方および側方に操作パネルを設けている。
前記脱穀装置３の上部に、内面が扱室１２の内壁の一部を形成する扱室上部カバー１５を設け、該扱室上部カバー１５は、前記グレンタンク５の反対側の取付軸１６（図３）を支点として上方回動する構成とし、前記グレンタンク５側の扱室上部カバー１５と前記グレンタンク５との間にエアクリーナ１７を配置する。
そのため、扱室上部カバー１５をグレンタンク５の反対側の取付軸１６を支点として上方回動する構成としているので、グレンタンク５の脱穀装置３側にエアクリーナ１７を設けても、扱室上部カバー１５とエアクリーナ１７との干渉を防止し、グレンタンク５と脱穀装置３との間の空間１８を有効利用できる。
【０００９】
エアクリーナー１７は脱穀装置３からグレンタンク５へ穀粒を移送する揚穀装置１７Ｂに支持する。
１７Ａはエアクリーナー１７に一体的に設けたプレクリーナーである。
前記脱穀装置３の扱室１２に軸装した扱胴１９の上方を覆う扱室上部カバー１５は、グレンタンク５側の扱室上部カバー１５の部分を上方に至るに従いグレンタンク５から離れる傾斜面２０を有し、グレンタンク５の上部と扱室上部カバー１５の傾斜面２０の間に前記空間１８を形成する。
扱室上部カバー１５の前面部２１と後面部２２には夫々把持部２３を設ける。
そのため、扱室上部カバー１５のオープン操作用の把持部２３を扱室上部カバー１５の前後側に設けているので、グレンタンク５の脱穀装置３側にエアクリーナ１７を設けても、扱室上部カバー１５とエアクリーナ１７との干渉を防止し、グレンタンク５と脱穀装置３との間の空間１８を有効利用できる。
【００１０】
前記扱室上部カバー１５の左右側には、略水平の水平面２５を扱室上部カバー１５の長さ方向に形成し、水平面２５の下面に左右方向の中間に収容部２６を有する補強部材２７をボルト２８により取付ける。この左右の補強部材２７によって
扱室上部カバー１５の左右の側縁部が補強され、扱室上部カバー１５全体の剛性が高まる。
補強部材２７の収容部２６の下方には、扱室１２の受網（扱網）３０の取付部３１を固定したボルト３２を位置させる。
即ち、脱穀装置３の枠体３３の上面に受網３０の取付部３１を重ね、取付部３１と枠体３３をボルト３２により固定し、扱室上部カバー１５は前記ボルト３２を収容する収容部２６を有して構成する。
そのため、扱室上部カバー１５の剛性を補強部材２７により向上させると共に、扱室上部カバー１５を閉塞位置にしたとき、扱室上部カバー１５と受網３０の固定用のボルト３２との干渉を防止する。
【００１１】
前記扱室１２内の扱胴１９の上側を覆う状態で扱室上部カバー１５を脱穀装置３の枠体３３に固定するロック機構Ｒを設ける。ロック機構Ｒの構成は任意であるが、実施形態では補強部材２７に設けたボルト３４に螺合するボルト３５に手回し用のハンドル３６を設けて構成している。
前記左右の補強部材２７の間の扱室上部カバー１５の内側に、左右に二分割した内側カバー４５、４６を設ける。内側カバー４５と内側カバー４６とは、扱室上部カバー１５の内側に設けた排塵ガイド４７の上方所定位置で接合させる。
そのため、内側カバー４５と内側カバー４６を排塵ガイド４７の所定位置で分割でき、排塵ガイド４７の取付端部を避ける内側カバー４５と内側カバー４６の形状を簡素に形成でき、内側カバー４５と内側カバー４６の金型の構成が簡素になって安価に製造でき、また、扱室上部カバー１５の剛性を向上させられる。
４８は排塵ガイド４７の取付部、４８Ａは各排塵ガイド４７を連動させる連結体である。
【００１２】
前記内側カバー４５および内側カバー４６は、前後方向においても略二等分に分割し、前後に分割した前側部分の内側カバー４５および内側カバー４６の上面には補強部材２７の左右補強部材５１、５２を位置させる。
即ち、補強部材２７は左右に分割構造とし、左補強部材５１と右補強部材５２とにより一体状に扱室上部カバー１５の内側に取付ける。
被処理物の多い扱室１２の前半部分において、補強部材２７の左補強部材５１と右補強部材５２により前側部分の内側カバー４５および内側カバー４６の剛性を向上させ、被処理物の処理を円滑にすると共に、被処理物が内側カバー４５および内側カバー４６に当たる際の異音発生を抑制する。
前記前後に分割した内側カバー４５および内側カバー４６のうち後側部分の上面所定位置に、後部補強部材５５を設ける。後部補強部材５５は、前記排塵ガイド４７を扱室上部カバー１５に回動自在に取付ける取付部４８の取付軸５６部分に設ける。
【００１３】
そのため、扱室上部カバー１５の前後に分割した内側カバー４５および内側カバー４６のうち剛性の必要な排塵ガイド４７の取付部分を、後部補強部材５５により剛性を確保しつつ、後側部分の後部補強部材５５の重量を軽量にして扱室上部カバー１５全体の軽量化が図れる。
図８は、扱室上部カバー１５の他の実施例を示し、扱室上部カバー１５は前記内側傾斜面２０と略水平の水平面５７と外側傾斜面５８を有して構成し、前記内側傾斜面２０は機体側に固定し、前記水平面５７と外側傾斜面５８により移動カバー部５９を構成し、移動カバー部５９を内側傾斜面２０に取付軸６０により回動自在に取付ける。
そのため、グレンタンク５の脱穀装置３側にエアクリーナ１７を設けていても、扱室上部カバー１５の移動カバー部５９とエアクリーナ１７との干渉を防止し、左側から扱室上部カバー１５をオープンでき、メンテナンス性を向上させられる。
また、内側傾斜面２０を機体側に残して、水平面５７と外側傾斜面５８を有する扱室上部カバー１５の移動カバー部５９をオープンさせればよく、操作荷重を軽減させられる。
【００１４】
扱室１２のグレンタンク５の反対側となる左側には、側部カバー６２を外側回動自在に設ける（図９）。側部カバー６２には被処理物を案内する穀粒ガイド６４を一体状に取付け、側部カバー６２および穀粒ガイド６４は支持部材６５に取付軸６６により外側回動自在に取付ける。側部カバー６２の上側には前後方向の上側補強部材６７に当接する上側弾性シール部材６８を設け、側部カバー６２の下側には断面Ｌ型形状の当接部材６９を設け、当接部材６９には下側弾性シール７０を設ける。下側弾性シール７０は、脱穀装置３の側板７１に設けたチャンネル形状の補強部材７２の側面に密着する状態で当接させる。
そのため、側部カバー６２の上下側に、側部カバー６２の長さ方向に設けた上側弾性シール部材６８と下側弾性シール７０により穀粒ガイド６４の上下の隙間を塞ぎ、穀粒が扱室１２から漏れるのを防止する。
図１０は、機体フレーム１を示し、機体フレーム１の後部左側に無垢角材により形成したバランスウェイト７３を設ける。
そのため、機体の前後左右の重量バランスを良好にして、走行を安定させられる。また、脱穀装置３の下方にバランスウェイト７３が位置して２本の前後フレームを連結するので、脱穀装置３の重量による機体フレーム１の変形を防止する。
【００１５】
また、脱穀装置３自体の振動をバランスウェイト７３により抑制する効果を期待できる。
グレンタンク５の縦排出オーガー７４の後方であって機体フレーム１の上方には燃料タンク７５を設ける。燃料タンク７５の上部には給油口７６を設ける。燃料タンク７５の近傍には補助ステップ７７を設ける。補助ステップ７７は給油するために足を掛けられる使用状態と使用しない格納状態とに回動するように取付軸７８により機体フレーム１側に取付ける
前記取付軸７８は側面視において、燃料タンク７５の後面より前側に配置する。
そのため、補助ステップ７７をコンパクトに格納できる。
前記補助ステップ７７は、前記燃料タンク７５を載置するタンク載置台７９に取付軸７８により回動自在に取付け、補助ステップ７７の左右一対のフレーム８０は、格納させた状態で燃料タンク７５の左右側に位置するように構成する。
そのため、補助ステップ７７は格納時燃料タンク７５を保護する保護フレームとしての作用も期待する。
【００１６】
前記補助ステップ７７には係合フック８１を設け、係合フック８１は前記タンク載置台７９に設けた係合ピン８２に格納時に係合する構成とする。
そのため、係合フック８１と係合ピン８２により補助ステップ７７の格納状態を保持する。
８３は係合フック８１を係合ピン８２に係合させるための長孔８３である。
図１５は補助ステップ７７の他の実施例を示し、前記タンク載置台７９に長孔８４を形成し、長孔８４に取付軸７８を挿通して、補助ステップ７７を摺動自在且つ回動自在に取付ける。
補助ステップ７７はタンク載置台７９下にスライドさせて格納し、タンク載置台７９下から引き出して回動させて使用する。
そのため、コンパクトに格納できる。
この場合、タンク載置台７９と補助ステップ７７とは、補助ステップ７７の後端がタンク載置台７９より後方に突出させないように構成する。
【００１７】
図１６，図１７は補助ステップ７７の他の実施例を示し、前記グレンタンク５の後部の支持フレーム８５に補助ステップ７７の上部を取付軸７８により回動自在に取付け、長孔８３内を取付軸７８を移動させて補助ステップ７７全体を上動させて、補助ステップ７７の下端をタンク載置台７９上面に載置させて格納し、タンク載置台７９から補助ステップ７７を降ろして使用状態とする。
そのため、燃料タンク７５への給油作業を容易に行えると共に、グレンタンク５上への作業者の移動を可能にし、脱穀装置３扱室上部カバー１５のオープン作業にも使用可能にする。
図１８、１９は補助ステップ７７の他の実施例を示し、前記グレンタンク５の外側オープンを支持する支持フレーム８５にフック８６を設け、補助ステップ７７の下部を取付軸７８中心に上方回動させてフックー８６に係合させて格納し、フックー８６から補助ステップ７７の下部を外して取付軸７８中心に下方回動させて使用状態とする。
そのため、燃料タンク７５への給油作業を容易に行える。
【００１８】
（作用）
エンジン１１を始動し、機体を走行させて作業を行う。
脱穀装置３の扱胴扱胴１９の上方を覆う、内面が扱室１２の内壁の一部を形成する扱室上部カバー１５は、グレンタンク５と反対側の脱穀装置３に取付軸１６により回動自在に取付けているので、取付軸１６中心に扱室上部カバー１５を上方回動させると、扱胴１９の上方を開放し、この状態でメンテナンスを行う。
扱室上部カバー１５の回動支点の反対側の扱室上部カバー１５とグレンタンク５との間にエアクリーナ１７を配置しているので、エアクリーナ１７とは無関係に扱室上部カバー１５を上方回動させて、メンテナンスを行える。
そのため、扱室上部カバー１５とグレンタンク５との間の空間内にエアクリーナ１７を設けることができ、エアクリーナ１７を扱室上部カバー１５の先端の回動軌跡から外れる範囲で大型化できる。
【００１９】
扱室上部カバー１５の前面部２１と後面部２２に把持部２３を設けているので、把持部２３により扱室上部カバー１５の上方回動を行える。
扱室上部カバー１５のオープン操作用の把持部２３を扱室上部カバー１５の前後側に設けているので、グレンタンク５の脱穀装置３側にエアクリーナ１７を設けても、扱室上部カバー１５の把持部２３とエアクリーナ１７との干渉を防止し、グレンタンク５と脱穀装置３との間の空間１８を有効利用して、エアクリーナ１７の大型化できる。
扱室１２内の扱胴１９の上側を覆う状態で扱室上部カバー１５を脱穀装置３の枠体３３に固定するロック機構Ｒを設けているので、ロック機構Ｒにより扱室上部カバー１５を脱穀装置３の枠体３３に固定する。
扱室上部カバー１５は、枠体３３の上面に受網３０を固定するボルト３２が入り込む収容部２６を有して構成しているので、収容部２６の存在により扱室上部カバー１５の剛性を向上させられる。
【００２０】
即ち、収容部２６の左右両側は、断面が略凹凸状の屈曲形状に夫々形成しているので、扱室上部カバー１５の剛性を向上させられる。
具体的には、収容部２６は、扱室上部カバー１５の本体を補強する補強部材２７によって形成され、該補強部材２７は左右に分割構造としているので、収容部２６を簡素に構成し、組立を容易にする。
扱室上部カバー１５の左右側には、略水平の水平面２５を扱室上部カバー１５の長さ方向に形成し、水平面２５の下面であって水平面２５の左右方向の中間に収容部２６を有する補強部材２７をボルト２８により取付け、補強部材２７の収容部２６の下方に扱室１２の受網（扱網）３０の取付部３１を固定したボルト３２を位置させているので、扱室上部カバー１５の剛性を補強部材２７により向上させると共に、扱室上部カバー１５を閉塞位置にしたとき、扱室上部カバー１５と受網３０の固定用のボルト３２との干渉を防止する。
【００２１】
左右の補強部材２７の間の扱室上部カバー１５の内側に、左右に二分割した内側カバー内側カバー４５、内側カバー４６を設け、内側カバー４５と内側カバー４６は扱室上部カバー１５の内側に設けた排塵ガイド４７の取付端部の上方で接合させているので、内側カバー４５と内側カバー４６を排塵ガイド４７の取付端部部分で分割でき、排塵ガイド４７の取付端部を避ける内側カバー４５と内側カバー４６の形状を簡素に形成でき、内側カバー４５と内側カバー４６の金型の構成が簡素になって安価に製造でき、また、扱室上部カバー１５の剛性を向上させられる。
前記内側カバー４５および内側カバー４６は、前後方向においても略二等分に分割し、前後に分割した前側部分の内側カバー４５および内側カバー４６の上面には左右の補強部材２７となる左右補強部材５１、５２を設けているので、被処理物の多い扱室１２の前半部分において、左補強部材５１と右補強部材５２により前側部分の内側カバー４５および内側カバー４６の剛性を向上させ、被処理物の処理を円滑にすると共に、被処理物が内側カバー４５および内側カバー４６に当たる祭の異音発生を抑制する。
【００２２】
前後に分割した内側カバー４５および内側カバー４６のうち後側部分の上面所定位置に、後部補強部材５５を設け、該後部補強部材５５の近傍に排塵ガイド４７を取付軸５６により回動自在に取付けているので、扱室上部カバー１５の前後に分割した内側カバー４５および内側カバー４６のうち剛性の必要な排塵ガイド４７の取付部分を、後部補強部材５５により剛性を確保しつつ、後側部分の後部補強部材５５の重量を軽量にして扱室上部カバー１５全体の軽量化が図れる。
図８の扱室上部カバー１５の他の実施例では、扱室上部カバー１５を内側傾斜面２０と略水平の水平面５７と外側傾斜面５８を有して構成し、内側傾斜面２０は機体側に固定し、前記水平面５７と外側傾斜面５８により移動カバー部５９を構成し、移動カバー部５９を内側傾斜面２０に取付軸６０により回動自在に取付けているので、グレンタンク５の脱穀装置３側にエアクリーナ１７を設けていても、扱室上部カバー１５の移動カバー部５９とエアクリーナ１７との干渉を防止し、左側から扱室上部カバー１５をオープンでき、メンテナンス性を向上させられる。
【００２３】
また、内側傾斜面２０を機体側に残して、水平面５７と外側傾斜面５８を有する扱室上部カバー１５の移動カバー部５９をオープンさせればよく、操作荷重を軽減させられる。
扱室１２のグレンタンク５の反対側となる左側には、側部カバー６２を外側回動自在に設け、側部カバー６２には被処理物を案内する穀粒ガイド６４を一体状に取付け、側部カバー６２および穀粒ガイド６４は支持部材６５に取付軸６６により外側回動自在に取付け、側部カバー６２の上側には前後方向の上側補強部材６７に当接する上側弾性シール部材６８を設け、側部カバー６２の下側には断面Ｌ型形状の当接部材６９を設け、当接部材６９には下側弾性シール７０を設け、下側弾性シール７０は、脱穀装置３の側板７１に設けたチャンネル形状の補強部材７２の側面に密着する状態で当接させるので、側部カバー６２の上下側に、側部カバー６２の長さ方向に設けた上側弾性シール部材６８と下側弾性シール７０により穀粒ガイド６４の上下の隙間を塞ぎ、穀粒が扱室１２から漏れるのを防止する。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００２４】
１…機体フレーム、２…走行装置、３…脱穀装置、４…刈取装置、５…グレンタンク、１２…扱室、１５…扱室上部カバー、１６…取付軸、１７…エアクリーナ、１８…空間、１９…扱胴、２０…傾斜面、２１…前面部、２２…後面部、２３…把持部、２５…水平面、２６…収容部、２７…補強部材、２８…ボルト、３０…受網、３１…取付部、３２…ボルト、３３…枠体、４５…内側カバー、４６…内側カバー、４７…排塵ガイド、４８…取付部、５１…左補強部材、５２…右補強部材、５５…後部補強部材、５６…取付軸、５７…水平面、５８…外側傾斜面、５９…移動カバー部、６０…取付軸、６２…側部カバー、６４…穀粒ガイド、６５…支持部材、６６…取付軸、６７…上側補強部材、６８…上側弾性シール部材、６９…当接部材、７０…下側弾性シール、７１…側板、７２…補強部材、７３…バランスウェイト、７４…縦排出オーガー、７５…燃料タンク、７６…給油口、７７…補助ステップ、７８…取付軸、７９…タンク載置台、８０…フレーム、８１…係合フック、８２…係合ピン、８３…長孔、８４…長孔、８５…支持フレーム、８６…ステー。
【図１】
2014187983.tif 000003
【図２】
2014187983.tif 000004
【図３】
2014187983.tif 000005
【図４】
2014187983.tif 000006
【図５】
2014187983.tif 000007
【図６】
2014187983.tif 000008
【図７】
2014187983.tif 000009
【図８】
2014187983.tif 000010
【図９】
2014187983.tif 000011
【図１０】
2014187983.tif 000012
【図１１】
2014187983.tif 000013
【図１２】
2014187983.tif 000014
【図１３】
2014187983.tif 000015
【図１４】
2014187983.tif 000016
【図１５】
2014187983.tif 000017
【図１６】
2014187983.tif 000018
【図１７】
2014187983.tif 000019
【図１８】
2014187983.tif 000020
【図１９】
2014187983.tif 000021
【図２０】
2014187983.tif 000022